(57)【要約】【課題】股上部の締付け具合と、ウエスト部の締付け具合を別々に調整することによって、着用時の履き易さと、使用者の体形に合ったフィット感が得られる介護用紙おむつパンツの提供を図る。【解決手段】前身頃と後身頃がクロッチ部で連接され、両側に設けられる脇身頃同士が前身頃と後身頃の両側に備えられる係止体によって係合される介護用紙おむつパンツにおいて、前身頃のウエスト開口部両側には係止体を備えるエプロン部を設け、後身頃のウエスト開口部両側には先端部と中間部に係止体を備えるウエスト締付帯を設け、エプロン部の両端に備えられる係止体をウエスト締付帯の中間部に備えられる係止体に係合させることによって股上部の締付け具合を調整することができると共に、後身頃のウエスト締付帯の先端部に備えられる係止体同士を係合させてウエスト部の締付け具合を調整する手段を採る。【選択図】図1
0003165144.tif 000002
【実用新案登録請求の範囲】
【請求項１】
前身頃と後身頃がクロッチ部で連接され、両側に設けられる脇身頃同士が前身頃と後身頃の両側に備えられる係止体によって係合される介護用紙おむつパンツにおいて、
前記前身頃のウエスト開口部両側に係止体を備えるエプロン部を設け、
前記後身頃のウエスト開口部両側には先端部と中間部に係止体を備えるウエスト締付帯を設け、
前記エプロン部の両端に備えられる係止体を、前記ウエスト締付帯の中間部に備えられる係止体に係合させることによって股上部の締付け具合を調整することができると共に、前記後身頃のウエスト締付帯の先端部に備えられる係止体同士を係合させることによってウエスト部の締付け具合を調整することができることを特徴とする介護用紙おむつパンツ。
【考案の詳細な説明】
【技術分野】
【０００１】
本考案は、股上部の締付け具合と、ウエスト部の締付け具合を別々に調整することができる介護用紙おむつパンツに関する。
【背景技術】
【０００２】
現在市販されているパンツ型紙おむつは、外装シート部が広範囲に伸縮する伸縮式のパンツ型紙おむつと、前身頃と後身頃が脇身頃で分離して係止される止着式のパンツ型紙おむつの二つのタイプが広く普及している。
【０００３】
しかしながら、それらのパンツ型紙おむつは、体形が比較的近い乳児用の紙おむつパンツでは問題とはならないが、使用する人の体形が大きく異なる大人用の介護用紙おむつパンツにおいては、紙おむつの伸縮許容範囲内でのフィット感では充分に満足できないという問題があった。
【０００４】
また、伸縮式のパンツ型紙おむつは、介護を必要とする人が自力で使用する場合、両足を二つの脚開口部に通して立ち上がらなければならず、パンツ型紙おむつの二つの脚開口部の幅に合わせて立ち上がることは、使用者にとっては両足を広げて安定的に踏ん張ることができず、転倒などの事故につながり易く危険なものであると同時に、着用時のフィット感に関しては、使用する紙おむつパンツの伸縮許容範囲内で満足しなければならなかった。
【０００５】
一方、前身頃と後身頃が脇身頃で分離して係止される止着式のパンツ型紙おむつに関しては、介護を必要とする人が使用する場合、紙おむつを座った状態で両足の下側から宛がい、さらに両脇身頃を係止体で係合させた後、引き上げて履くことが容易にできる紙おむつパンツであるが、上記の伸縮式のパンツ型紙おむつ同様、着用時のフィット感に関しては、紙おむつパンツの伸縮許容範囲内で満足しなければならなかった。
【０００６】
そこで、それらのパンツ型紙おむつにおけるフィット感の問題点を解決しようとする紙おむつが提案されている。例えば、前身頃の両脇にウエスト開口部から脚開口部までにミシン目を入れて止着式と伸縮式の両方を使い分けてフィット感を達成する「パンツ型紙おむつ」（特許文献１参照）や、締め付け可能なウエスト紐を備え、そのウエスト紐を折り返して覆うカバーを設けて前身頃に係合可能な係合部を設けて締め付けを可能とする「着用物品」（特許文献２参照）が提案され、公知技術となっている。
【０００７】
しかしながら、上記の「パンツ型紙おむつ」（特許文献１参照）は、前身頃の両脇にウエスト開口部から脚開口部までにミシン目を入れて止着式と伸縮式の両方を使い分けてフィット感を得ようとする提案であるが、一般的な紙おむつを使用するメリット言えば、おむつ替えの手間を省く利便性が望まれるものであり、止着式と伸縮式の両方を使い分けるメリットは殆どなく、そもそも履き易さを求めるのであれば伸縮式の紙おむつパンツを使用すれば済むものであり、フィット性を求めるのであれば止着式の紙おむつを使用すれば済むものである。
【０００８】
また該提案は、ミシン目を切り離すことによって前身頃と後身頃を分離し、ファスニングテープを係合させてウエスト開口部の締め付け具合を調整しようとしているが、前身頃と後身頃のファスニングテープを係合させる際に、前身頃と後身頃の両端部を両手で持って係合させなければならず、着用する人を寝かせて交換する場合を除けば、非常に手間隙と係合させる係止力を要するものであり、特別にミシン目を設けるメリットがあるとは言え難いものであった。
【０００９】
また、「着用物品」（特許文献２参照）は、締付け可能なウエスト紐を備え、そのウエスト紐を折り返して覆うカバーを設けて前身頃に係合可能な係合部を設けて締付けを可能とする提案であるが、従来のいわゆるフンドシ型やＴ字帯などの止着式のおむつをメカニカルファスナーとウエスト紐付きの紙おむつ仕様に変更したものに過ぎないものであった。
【００１０】
また該提案は、ウエスト紐によって、ウエスト開口部と股上部の締付け調整を可能としているが、それらはウエスト紐によってウエスト部が強く締付けられている状態を前提条件として、折り返されているカバーを上げ下げすることで股上部の締付け調整を行なうものであり、ウエスト部の締付け具合の調整と股上部の締付け具合の調整を別々に行なうことができない上、ウエスト紐を結ぶ作業は、介護を必要とする使用者にとっては指先に複雑な動きと係止力を必要し、さらに結び目の形状が腹部を部分的に圧迫するものであり、また介護人の手助けが必要となる問題点を残すものであった。
【００１１】
以上のように上記の紙おむつに関するいずれの提案も、着用時のフィット感を得るためにウエスト部の締付け具合の調整と股上部の締付け具合の調整を別々に行なうことができない紙おむつの提案であって、介護を必要とする使用者が単独で使用して排便行為の自立と、自力で着用することによるリハビリ効果が得られる紙おむつの提案ではなかった。
【００１２】
本出願人は、以上のような紙おむつが解決できない問題点を鑑み、後身頃のウエスト開口部にウエスト締付帯を設けて一端仮固定し、そこに前身頃に係止体を設けて着脱自在に係合させることによって、着用時の履き易さと、股上部とウエスト部の締付け具合を別々に調整することができることに着目し、介護用紙おむつを必要とする使用者の排便行為の自立と、自力で着用することによるリハビリ効果を目的として、本考案における介護用紙おむつパンツの提案に至るものである。
【先行技術文献】
【特許文献】
【００１３】
【特許文献１】特開２０１０-５４５３号公報
【特許文献２】特開２０１０-８２２５７号公報
【考案の概要】
【考案が解決しようとする課題】
【００１４】
本考案は、股上部の締付け具合と、ウエスト部の締付け具合を別々に調整することによって、着用時の履き易さと、使用者の体形に合ったフィット感が得られる介護用紙おむつパンツの提供を図る。
【課題を解決するための手段】
【００１５】
本考案は上記目的を達成するために、前身頃と後身頃がクロッチ部で連接され、両側に設けられる脇身頃同士が前身頃と後身頃の両側に備えられる係止体によって係合される介護用紙おむつパンツにおいて、前身頃のウエスト開口部に両側に係止体を備えるエプロン部を設け、後身頃のウエスト開口部の両側に先端部と中間部に係止体を備えるウエスト締付帯を設け、エプロン部の両端に備えられる係止体をウエスト締付帯の中間部に備えられる係止体に係合させることによって股上部の締付け具合を調整することができると共に、後身頃のウエスト締付帯の先端部に備えられる係止体同士を係合させることによってウエスト部の締付け具合を調整することができる手段を採る。
【考案の効果】
【００１６】
本考案の介護用紙おむつパンツによれば、パンツ型紙おむつにエプロン部とウエスト締付帯を新たに設けることよって、着用時の履き易さと、股上部とウエスト部の締付け具合を使用者の体形やフィット感に合わせて別々に調整することができる優れた効果を奏する。
【００１７】
また本考案の介護用紙おむつパンツによれば、エプロン部の両側に設けられる係止体がウエスト締付帯の係止体に対して縦方向に備えられているため、股上部の締付け領域を広く取ることができる優れた効果を奏する。
【００１８】
また本考案の介護用紙おむつパンツによれば、使用者にとっては両足を広げて安定的に踏ん張ることができる上、指先の複雑な動きや係止力を必要とすることなく着用することができる優れた効果を奏する。
【００１９】
また本考案の介護用紙おむつパンツによれば、立ったり座ったりすることができる使用者であれば前身頃と後身頃が一時期的に仮止めされていることで容易におむつ交換することができると共に、自分の体形にあった股上部とウエスト部の締付け具合を別々に調節することができるもので、使用者の排便行為の自立と、自力で着用することによるリハビリ効果が期待できる優れた効果を奏する。
【００２０】
また本考案の介護用紙おむつパンツによれば、従来のパンツ型紙おむつにエプロン部とウエスト締付帯が新たに設けられた単純形状の紙おむつパンツであるため、従来のパンツ型紙おむつの製造工程を大幅に変更することなく製造することができるもので、製造コストの低廉と製造効率のアップが図れる優れた効果を奏する。
【００２１】
また本考案の介護用紙おむつパンツによれば、係止体が、前身頃と後身頃の両側端部に設けられて、係止体の下地シートが内側と外側のシート部に挟まれてヒート溶着されているため、高い強度性を持つ優れた効果を奏する。
【図面の簡単な説明】
【００２２】
【図１】本考案の介護用紙おむつパンツの実施形態の全体を示す斜視図である。（実施例１）
【図２】本考案の介護用紙おむつパンツの実施形態を示す展開図である。（実施例２）
【図３】本考案の介護用紙おむつパンツの従来の紙おむつパンツとの比較を示す説明図である。（実施例３）
【図４】本考案の介護用紙おむつパンツの着用手順を示す説明図である。（実施例４）
【図５】本考案の介護用紙おむつパンツの別の使用例を示す説明図である。（実施例５）
【考案を実施するための形態】
【００２３】
本考案は、前身頃と後身頃がクロッチ部で連接され、両側に設けられる脇身頃同士が前身頃と後身頃の両側に備えられる係止体によって係合される介護用紙おむつパンツにおいて、前身頃のウエスト開口部に両側に係止体を備えるエプロン部を設け、後身頃のウエスト開口部の両側に先端部と中間部に係止体を備えるウエスト締付帯を設け、エプロン部の両端に備えられる係止体を、ウエスト締付帯の中間部に備えられる係止体に係合させることによって股上部の締付け具合を調整することができると共に、後身頃のウエスト締付帯の先端部に備えられる係止体同士を係合させることによってウエスト部の締付け具合を調整することができる手段を採用したことを最大の特徴とする。以下、実施例を図面に基づいて説明する。
【００２４】
尚、本実施例の寸法ならびに形状は、下記に述べる実施例に特に限定されるものでなく、本考案の技術的思想の主旨に逸脱しない範囲で任意に変更することができる。
【００２５】
また、本実施例で示す介護用紙おむつパンツは、使用者の排便行為の自立と、自力で着用することによるリハビリ効果を目的とする介護を必要とする大人用の紙おむつパンツを例にとって説明しているが、図５で示す様な使用例を持って乳児や幼児用の紙おむつパンツとして利用できることは言うまでもない。
【実施例１】
【００２６】
図１は、本考案の介護用紙おむつパンツの実施形態の全体を示す斜視図である。
本考案の介護用紙おむつパンツ１は、前身頃１０のウエスト開口部１７に、両側に係止体２１を備えるエプロン部２０を設けて成り、後身頃１２のウエスト開口部１７の両側に、先端部と中間部に係止体３１，３２を備えるウエスト締付帯３０を設けて成り、エプロン部２０の両端に備えられる係止体２１を、ウエスト締付帯３０の中間部に備えられる係止体３２に係合させることによって股上部１８の締付け具合を調整することができると共に、後身頃１２のウエスト締付帯３０の先端部に備えられる係止体３１同士を係合させることによってウエスト部１９の締付け具合を調整することができることから、着用時のフィット感を得るために股上部１８の締付け具合と、ウエスト部１９の締付け具合を別々に調整することができる構造を有している。
【実施例２】
【００２７】
図２は、本考案の介護用紙おむつパンツの実施形態を示す展開図である。
本考案の介護用紙おむつパンツ１は、前身頃１０と後身頃１２が、クロッチ部１５で連接され、両側に設けられる脇身頃１４同士が、前身頃１０と後身頃１２の両側に備えられる係止体１１，１３によって係合される従来の紙おむつパンツＰに係止体２１を備えるエプロン部２０と、係止体３１，３２を備えるウエスト締付帯３０が、新たに設けられた単純構造で形成されている。
【００２８】
係止体１１，１３は、前身頃１０と後身頃１２の両側端部に設けられて、係止体の下地シートが内側と外側のシート部に挟まれてヒート溶着されているため、高い強度性を持って形成されている。尚、係止体１１が幾つかに分割されることによって、前身頃１０と後身頃１２を係止する際に無理なく段階的に係止することができる。
【００２９】
エプロン部２０は、前身頃１０のウエスト開口部１７に両側に係止体２１を備えて設けられるもので、該係止体２１をウエスト締付帯３０の中間部に備えられる係止体３２に係合させることによって、股上部１８の締付け具合を調整するものである。上部は、ウエスト締付帯３０の中間部に備えられる係止体３２の取り付け位置に合わせて前身頃１０の上部形状とやや形状を小さくして形成されている。
【００３０】
エプロン部２０の両側に係止体２１は、ウエスト締付帯３０の中間部に備えられる係止体３２に係合されるもので、ウエスト締付帯３０の係止体３２に対して縦方向に備えることによって締付け領域が広く取ることができるように取り付けられている。
【００３１】
ウエスト締付帯３０は、後身頃１２のウエスト開口部１７の両側の内側と外側のシート部に挟まれてヒート溶着され、先端部に係止体３１と中間部に係止体３２が備えられる構造を有して形成されている。
【００３２】
ウエスト締付帯３０の先端部に備えられる係止体３１は、係止体３１を構成するファスニングテープとランディングテープが係合されてウエスト部１９の締付け具合を調整することができるようにウエスト調整方向となる横長に取り付けられている。
【００３３】
ウエスト締付帯３０の中間部に備えられる係止体３２は、エプロン部２０の両側に係止体２１と係合されることによって、股上部１８の締付け具合を調整することができるように取り付けられている。
【実施例３】
【００３４】
図３は、本考案の介護用紙おむつパンツの従来の紙おむつパンツとの比較を示す説明図である。
本考案の介護用紙おむつパンツ１は、図の破線で示される様に、従来の紙おむつパンツＰに対して、実線で示される係止帯２１を備えるエプロン部２０と、係止体３１，３２を備えるウエスト締付帯３０を付加した構造で構成されている。
【実施例４】
【００３５】
図４は、本考案の介護用紙おむつパンツの着用手順を示す説明図である。
（1）履いているズボンＳを膝下まで下ろし、開いた紙おむつパンツ1の後身頃１２とウエスト締付帯３０を両足の下から通す。
（2）座った状態でウエスト締付帯３０の先端部に備えられている係止体３１同士をお腹の前で仮に係合させ、エプロン部２０の両脇にある係止体２１とウエスト締付帯３０の中間部にある係止体３２を仮に係合させてパンツ状にする。
（3）紙おむつパンツ１を引き上げて履く。
（4）エプロン部２０の両脇にある係止体２１と、ウエスト締付帯３０の中間部にある係止体３２との係合を一端外し、ウエスト締付帯３０の締付け状態をフィット感に合わせて再調整する。（ウエスト部の締付け調整）
（5）エプロン部２０の両脇にある係止体２１とウエスト締付帯３０の中間部にある係止体３２の締付け状態をフィット感に合わせて再調整する。（股上部の締付け調整）
（6）両側脇身頃１４（前身頃と後身頃）の係止体１１，１３を身体のフィット感に合わせて係合し、ズボンＳを持ち上げて終了する。
既にウエスト締付帯３０で後身頃１２が締付けられて固定されていることによって両側脇身頃１４はフリーの状態で開放されているため、前身頃１０と後身頃１２は大きな係止力を必要とすることなく容易に係合することができる。
【００３６】
こうして介護を必要とする大人が容易に履くことができる本考案の介護用紙おむつパンツ１は、股上部１８とウエスト部１９の締付け具合を別々に調整することができるため、排便行為の自立と、自力で着用することによるリハビリ効果を目的として使用されるものである。
【実施例５】
【００３７】
図５は、本考案の介護用紙おむつパンツの別の使用例を示す説明図である。
図（a）は、パンツ型紙おむつとしての使用例を示す。
前身頃１０と後身頃１２を係合させてパンツ状にして使用するもので、介護を必要とする大人が寝ている状態でも効率よく履かせることができる。
【００３８】
図（b）は、パンツ型紙おむつとしての使用例を示す。
脚開口部１６に一方の足を先に入れてパンツ型紙おむつを履く方式で、老人介護における紙おむつ交換作業を軽減することができる。
【産業上の利用可能性】
【００３９】
本考案の介護用紙おむつパンツは、後身頃のウエスト開口部にウエスト締付帯を設けて一端仮固定し、そこに前身頃を着脱自在に係合させることによって、着用時の履き易さと、股上部とウエスト部の締付け具合を別々に調整できる介護用紙おむつパンツであることから、介護用紙おむつを必要とする使用者の排便行為の自立と、自力で着用することによるリハビリ効果を目的とする本考案の介護用紙おむつの産業上の利用可能性は極めて高いものと解する。
【符号の説明】
【００４０】
１  介護用紙おむつパンツ
１０  前身頃
１１  係止体
１２  後身頃  
１３  係止体
１４  脇身頃
１５  クロッチ部
１６  脚開口部
１７  ウエスト開口部
１８  股上部
１９  ウエスト部
２０  エプロン部
２１  係止体
３０  ウエスト締付帯
３１  係止体
３２  係止体
Ｐ    従来のパンツ型紙おむつ
Ｓ    ズボン
【図１】
0003165144.tif 000003
【図２】
0003165144.tif 000004
【図３】
0003165144.tif 000005
【図４】
0003165144.tif 000006
【図５】
0003165144.tif 000007